(57)【要約】      （修正有）【課題】多くの展示品を展示品固定用スイッチ式磁石一式で固定することにより、簡単で確実に地震から展示品を保護する、展示品固定装置を提供する。【解決手段】展示品固定用スイッチ式磁石３と、展示品固定用アーム５と、展示品固定用棒６と、上下運動吸収緩衝装置１６を交換することにより、展示品１８の形状及び大小に関係なく展示品１８を固定できるうえに、展示品交換作業も短時間で終了でき、総ての地震規模に対応出来、安価で確実に保護する。【選択図】図２
0003196813.tif 000002
【実用新案登録請求の範囲】
【請求項１】
展示台側面に配置固定された鉄板と、
展示品固定用スイッチ式磁石と、
展示品固定用アームと、
展示品固定用棒と、
展示台上に三面鏡を配置固定と
床面に鏡を配置固定と
展示品固定用アーム補強調整ボルトからなる展示品固定装置において、
前記、展示品固定用アームは、展示品固定用スイッチ式磁石側面にボルトにて固定され、展示品固定用棒は、展示品固定用アームの先端部に固定されているとともに、展示台上には三面鏡の配置固定と、展示台床面には鏡を配置固定することを特徴とする展示品固定装置。
【請求項２】
前記、展示品固定用棒の先端部に直下地震等の上下運動を吸収する緩衝装置が配置されていることを特徴とする展示品固定装置。
【考案の詳細な説明】
【技術分野】
【０００１】  本考案は、展示品を地震等によって、転倒・落下による破損・損傷を防止して展示し続けることを目的とした、展示品固定装置に関する。
【背景技術】
【０００２】  上述したように、地震発生時展示品が展示場所から転倒による損傷や、落下による破損．を防ぐために、多くの提案がなされている。
従来の固定装置として、展示品底辺に鉄板を配置し、その鉄板を磁化して固定に関する装置が提案されている（例えば実願文献１参照）。【０００３】  他の固定装置としては、展示品の下方を固定して、展示品を地震から保護する装置等がある（例えば文献２参照）。【０００４】  他の方法としては、ガラス展示品の下方を接着固定して、地震から展示品を保護する装置等がある（例えば文献３参照）。【０００５】  その他装置としては、展示台底辺に鉄板を配置固定し、その鉄板上に展示品を置き、展示品の四方から固定バー付磁石で固定して、展示品を地震から保護する装置が提案されている（例えば文献４参照）。
【先行技術文献】
【実願文献】
【０００６】
【実願文献１】
実願２０１２−００１１０７
【実願文献２】
実願２０１２−００３４３９
【実願文献３】
実願２０１２−００４７４４
【実願文献４】
実願２０１３−００１３６２
【考案の概要】
【考案が解決しようとする課題】
【０００７】  実願文献１に示されたさ装置では、従来の耐震装置の上に磁性体を配置し、展示品下方に鉄板を固定する方法では、展示品の底辺に鉄板を固定するとき、接着剤・ネジ・釘等での固定方法が許可されない場合が多い問題がある。【０００８】  実願文献２に示された装置では、展示品固定及び緊急時の解除に時間を要す等の問題がある。【０００９】  実願文献３に示された装置では、接着剤での展示品固定方法であり、展示品に接着剤の利用ができない場合が多い問題がある。【００１０】  実願文献４に示された装置では、展示品固定の磁石が多く、展示品交換作業に時間を要す問題がある。
【課題を解決するための手段】
【００１１】  本考案は、
展示台側面に配置固定された鉄板と、
展示品固定用スイッチ式磁石と、
展示品固定用アームと、
展示品固定用棒と、
展示台上に三面鏡を配置固定と
床面に鏡を配置固定と
展示品固定用アーム補強調整ボルトからなる展示品固定装置において、
前記、展示品固定用アームは、展示品固定用スイッチ式磁石側面にボルトにて固定され、展示品固定用棒は、展示品固定用アームの先端部に固定されているとともに、展示台上には三面鏡の配置固定と、展示台床面には鏡を配置固定することを特徴とする展示品固定装置である。
前記、展示品固定用棒の先端部に直下地震等の上下運動を吸収する緩衝装置が配置されていることを特徴とする展示品固定装置である。
【考案の効果】
【００１２】  本考案は、以上に説明したように、構成されるものであるから、次に述べる効果がある。【００１３】  本考案では、展示台側面に配置固定される鉄板と、展示品固定用スイッチ式磁石と、展示品固定用アームと、展示品固定用棒と緩衝装置のサイズを換えることにより、展示品の形状・大きさに制限なく、地震から展示品を確実に保護できる効果がある。【００１４】  本考案では、展示台上に配置された三面鏡と床面に配置された鏡により、見学者に展示品の両側面及び後方と下方を見せることにより、展示品作者の表現ができる効果がある。【００１５】  本考案では、地震の強弱に関係なく、安全で確実に展示品を保護できる効果がある。【００１６】  本考案では、展示品固定がスイッチ式磁石一式であり、一つのスイッチにより展示品固定および解除がワンタッチで操作でき、短時間での展示品移動および交換が可能な効果がある。【００１７】  本考案では、展示品固定用スイッチ式磁石一式で展示品を固定するとき、展示品を傷つけないよう、展示品固定用スイッチ式磁石側面に、ボルトにて固定された展示品固定用アームの先端部に、固定された展示品固定用棒下部に配置された、直下地震等の上下運動を吸収する緩衝装置により展示品をより安全に保護できる効果がある。【００１８】  本考案では、表にある展示品のみでなく、保管庫に多くある貴重な保管品を保管台側面に鉄板を加工するこにより、保管品を地震から確実に保護できる効果がある。
【考案を実施するための最良の形態】
【００１９】  本考案は、今まで述べたとおり展示品を、見学者の目線で最良の位置に配置し、展示品固定用スイッチ式磁石を操作（ＯＮ）し、展示品を固定することにより、展示品を地震から安全で確実に保護する。
【実施例】
【００２０】  以下、添付図面に従って一実施例を説明する。展示品を壺（１８）とし、
図１は、展示品固定用スイッチ式磁石（３）一式の正面図である。
図２は、展示品固定用スイッチ式磁石（３）一式で展示品（１８）を固定した状態の右側面図である。【００２１】  実施例は、図２で示した通り壺（１８）を展示台（１）上に配置し、壺（１８）上部の穴より静かに展示品固定用スイッチ式磁石（３）一式を下げ、最良位置にて展示品固定用スイッチ式磁石（３）の磁石スイッチ（４）をＯＮとし展示品を展示台に固定し、展示品固定用アーム（５）の補強ボルト（８）を調整し、最強度の力で壷（１８）を地震から確実に保護される。【００２２】  次に展示品（１８）を最良の位置に配置固定した後に、三面鏡（１１）を展示品（１８）側面と後方及び下方が見学者に最良位置で見えるよう、三面鏡（１１）アーム（１７）固定ボルト（１３）及び三面鏡固定ボルト（１４）で調整し全てを固定する。
【図面の簡単な説明】
【００２３】
【図１】  展示品固定用スイッチ式磁石（３）一式の正面図である。
【図２】  展示品固定用スイッチ式磁石（３）一式で展示品（１８）を固定した右側図である。
【符号の説明】
【００２４】  １  展示台
２  鉄板
３  展示品固定用スイッチ式磁石
４  展示品固定用スイッチ式磁石の磁石スイッチ
５  展示品固定用アーム
６  展示品固定用棒
７  展示品固定用アームをスイッチ式磁石側面固定ボルト
８  展示品固定用アーム補強ボルト
９  展示品固定用アームに展示品固定用棒を固定するナット
１０  床鏡
１１  三面鏡
１２  三面鏡アーム固定アングル
１３  三面鏡アームをアングルに固定するボルト
１４  三面鏡アームを三面鏡に固定するボルト
１５  鉄板を展示台に固定するスクリュウボルト
１６  上下運動吸収緩衝装置
１７  三面鏡アーム
１８  展示品
【図１】
0003196813.tif 000003
【図２】
0003196813.tif 000004
【手続補正書】
【提出日】平成27年1月13日(2015.1.13)
【手続補正１】
【補正対象書類名】実用新案登録請求の範囲
【補正対象項目名】全文
【補正方法】変更
【補正の内容】
【実用新案登録請求の範囲】
【請求項１】
展示台側面に配置固定された鉄板と、
展示品固定用スイッチ式磁石と、
展示品固定用ア−ムと、
展示品固定用棒と、
展示台上に三面鏡を配置固定と、
床面に鏡を配置固定と、
展示品固定用ア−ム補強調整ボルトからなる展示品固定装置において、
前記、展示品固定用ア−ムは、展示品固定用スイッチ式磁石側面にボルトにて固定され、展示品固定用棒は、展示品固定用ア−ムの先端部に固定されているとともに、展示台上には三面鏡の配置固定と、展示台床面には鏡を配置固定することを特徴とする展示品固定装置。
【請求項２】
前記、展示品固定用棒の先端部に直下地震等の上下運動を吸収する緩衝装置が配置されていることを特徴とする請求項１に記載の展示品固定装置。